(57)【要約】【目的】冷却貯蔵庫の冷凍機械室吸気構造において、ダクトに備えたフィルタの振動音を防ぐとともに、ダクトからフィルタの脱落を防止する。【構成】冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器とフロントパネルの吸込部との間に介在するダクトと、該ダクトの内部にフィルタと、該フィルタを固定する固定部に該フィルタと接着させるガイドを弾性自在に配設した。【選択図】図２
2004325008.tif 000002
【特許請求の範囲】
【請求項１】
冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器とフロントパネルの吸込部との間に介在するダクトと、該ダクトの内部にフィルタと、該フィルタを固定する固定部に該フィルタと接着させるガイドを弾性自在に配設した冷凍機械室の吸気構造を備えた冷却貯蔵庫。
【請求項２】
前記ガイドには突部を備え、前記フィルタを該突部により、接着させたことを特徴とする請求項１記載の冷凍機械室の吸気構造を備えた冷却貯蔵庫。
【請求項３】
冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器と該フロントパネルの吸込部との間に介在するダクトと、該ダクトの内部に配設されたフィルタと、前記ダクトには上部と側部に固定部を備え、前記フィルタと側部に備えた固定部とを脱着自在とするとともに、上部に備えた固定部とは離間させたことを特徴とする冷凍機械室の吸気構造を備えた冷却貯蔵庫。
【発明の詳細な説明】
【０００１】
【発明の属する技術分野】
この発明は冷凍機械室吸気構造に関し、更に詳細には、空冷式の凝縮器が配置される冷凍機械室を画成するフロントパネルに吸込部が設けられ、該吸込部を介して室内に吸込んだ外部空気により前記凝縮器を空冷する冷却貯蔵庫等の装置に設けられる吸気構造に関するものである。
【０００２】
【従来の技術】
筐体の内部に配設された冷凍機構等によって貯蔵スペースを所定温度に冷却するよう構成した冷蔵庫等が、喫茶店やレストラン等の厨房施設で好適に使用されている。図６は、冷凍機構を本体上部に配設した上置きタイプの冷蔵庫を示すものであって、該冷却貯蔵庫１１は、食品等を貯蔵する本体１２の上部に、フロントパネル１５および左右のサイドパネル１６、１６により上面および背面が開放する冷凍機械室１４が画成され、該冷凍機械室１４に、庫内を冷却するための冷凍機構２１や図示しない電装箱および制御箱等が配置され、冷凍機構２１、電装箱および制御箱は、配管、配線部材で接続されている。
【０００３】
前記冷凍機構２１は、図７に示すように、空冷式の凝縮器２３、凝縮器ファンモータ２４、圧縮機２５および冷却器２６等から基本的に構成されており、凝縮器２３は前記フロントパネル１５の背面（冷凍機械室側の面）からダクト３１を介して、離間した位置に配置されると共に、その正面側にフィルタ２７が配置されている。
そして、前記凝縮器ファンモータ２４を運転することで、凝縮器２３の周囲の空気がフロントパネル１５の開口部である吸込部１７より吸込まれ、フィルタ２７を介し、ダクト３１を通過し該凝縮器２３の吸込み側の吸込部に吸込まれ、圧縮機２５から凝縮器２３に供給された高温の冷媒が、凝縮器２３内を通過する際にこの空気と熱交換することで冷却されるようになっている。
なお、凝縮器２３を空冷した空気は、圧縮機２５に吹付けられてこれを空冷した後、冷凍機械室１４の背面側に吹出される。
【０００４】
従来の冷却貯蔵庫等の装置に設けられる吸気構造は、ダクト３１の吸込口近傍（フロントパネル１５の吸込部１７寄り）の内面側上部にガイド３４を備え、フィルタ２７を傾斜状にして、ガイド３４に添って取り付けたことにより、固着手段にて固着しないまま、フィルタ２７をダクト３１内に設置していた。
【特許文献１】
特開２００２−９６８９８号公報
【０００５】
【発明が解決しようとする課題】
しかしながら、従来の吸気構造では、圧縮機、凝縮器、凝縮器ファンモータ、扉の開け閉め等による振動がフィルタに伝わり、フィルタがガイドに衝突し、振動音が発生することがあった。
また、フィルタはガイドに添うように置かれているだけなので、冷却貯蔵庫の運搬や設置場所の移動時、扉開閉時の衝撃により、フィルタがダクト内の所定位置より、離脱することがあった。
【０００６】
【発明の目的】
本発明は、前述した従来の技術に内在している前記課題に鑑み、これを好適に解決するべく提案されたものであって、ダクトに備えたフィルタの振動音を防ぐとともに、フィルタの脱落を防止する冷却貯蔵庫の冷凍機械室吸気構造を提供することを目的とする。
【０００７】
【課題を解決するための手段】
前記課題を克服し、所期の目的を好適に達成するため、本発明に係る冷却貯蔵庫の冷凍機械室吸気構造は、冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器とフロントパネルの吸込部との間に介在するダクトと、該ダクトの内部にフィルタと、該フィルタを固定する固定部に該フィルタと接着させるガイドを弾性自在に配設したことを特徴としている。
また、請求項２の発明は、  前記ガイドには突部を備え、前記フィルタを該突部により、接着させたことを特徴としている。
また、請求項３の発明は、冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器と該フロントパネルの吸込部との間に介在するダクトと、該ダクトの内部に配設されたフィルタと、前記ダクトには上部と側部に固定部を備え、前記フィルタと側部に備えた固定部とを脱着自在とするとともに、上部に備えた固定部とは離間させたことを特徴としている。
【０００８】
【発明の効果】
本発明は、上記の課題を解決するための手段により、冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器とフロントパネルの吸込部との間に介在するダクトと、該ダクトの内部にフィルタと、該フィルタを固定する固定部に該フィルタと接着させるガイドを弾性自在に配設したことにより、ダクト内に取り付けるガイドのバネ性を利用して、フィルタを固定することでフィルタの振動音の発生を防止できた。
また、フィルタを受けるガイドは弾性体でバネ性があり、フィルタやダクトの大きさのバラツキをガイドの曲げで吸収することができ、安定してフィルタを固定できるため、フィルタのダクトからの離脱を防止できた。
また、請求項２の発明である前記ガイドには突部を備え、前記フィルタを該突部により、接着させたことにより、フィルタとガイドの接触面積が少なくなり、わずかな力でフィルタの脱着を行うことができた。
さらに、請求項３の発明である冷凍機械室に凝縮器を備え、該冷凍機械室を画成するフロントパネルに設けた吸込部を介して室内に吸込んだ外部空気により該凝縮器を空冷する冷却貯蔵庫において、該凝縮器と該フロントパネルとの間に配設され、該凝縮器と該フロントパネルの吸込部との間に介在するダクトと、該ダクトの内部に配設されたフィルタと、前記ダクトには上部と側部に固定部を備え、前記フィルタと側部に備えた固定部とを脱着自在とするとともに、上部に備えた固定部とは離間させたことにより、フィルタの振動音の発生を防止できた。
【０００９】
【発明の実施の形態】
次に、本発明に係る冷却貯蔵庫の冷凍機械室吸気構造につき、好適な実施例を挙げて、添付図面を参照しながら以下説明する。なお、冷凍機械室の吸気構造を採用した実施例に係る冷蔵庫に関して、図１〜３を参照して従来の技術で説明した冷蔵庫に既出の同一部材には、同じ符号を付して示すこととする。
【００１０】
図１は、冷却貯蔵庫上部の冷凍機構を備えている冷凍機械室１４のダクト３１、フロントパネル１５を外した分解図であり、この図に示すように、冷却貯蔵庫１１における縦長に形成した箱状の本体１２の内部には、生鮮食品や飲料等の収納物を冷却貯蔵するための収納室が画成されると共に、該本体１２の正面には開口を開閉可能に閉成する複数の扉１３が配設されている。
また、本体１２の上部には、ステンレス製のフロントパネル１５、左右のサイドパネル１６、１６等により背面側を開放する冷凍機械室１４が画成され、凝縮器２３や圧縮機２５と熱交換した空気が室外に排出されるようになっている。
【００１１】
前記冷凍機械室１４内の本体上面にユニット台２２が配設されており、このユニット台２２の上面に、空冷式の凝縮器２３、凝縮器ファンモータ２４および圧縮機２５、電装箱２８等からなる冷凍機構２１が配置されると共に、凝縮器２３から冷媒が供給される図示しない冷却器が本体内部に収納されている。
また、冷凍機械室１４を画成するよう正面側に配設される前記フロントパネル１５は、図示しないヒンジ等を介して上下方向に回動可能に枢支されており、冷凍機械室１４の正面を開放し得るよう構成される。
また、フロントパネル１５の裏側近傍には、温度等の表示部および温度設定部を備えた操作箱２９を備えている。
【００１２】
このフロントパネル１５には、前記ユニット台２２の最前部に設置されているダクト３１の正面吸込部と対応する位置に、所要寸法で開口する矩形状の吸込部１７が複数開設されている。
なお、この吸込部１７には、吸込部としてのルーバを正面側から着脱可能に配設されるよう構成してもよい。
また、前記凝縮器冷却用のファンモータ２４を運転した際には、フロントパネル１５の正面側の外部空気が、吸込部１７を介して冷凍機械室１４内に吸込まれるようになっている。
【００１３】
前記凝縮器２３の空気吸込部である正面から、前記フロントパネル１５の背面（冷凍機械室側の面）との間に亘り、凝縮器２３の空気吸込部およびフロントパネル１５に配設された吸込部１７に対向して設定された四角形の筒状に囲繞されたダクト３１が配設されている。
ダクト３１は、ステンレス製の平板をリベット等の固着手段にて連結させて四角形の筒状に構成されており、ダクト３１の上板には段差があり、低い部分の前方吸込部４０はフロントパネル１５の吸込部１７と対向させ、高い部分の後方吸込部４１は凝縮器正面の吸込部に対向させて備わっている。
また、ダクト３１の底板は受け皿状を形成しており、後方部分は、凝縮器２３とユニット台２２の間に挿入されて、凝縮器２３の洗浄水等を受けるようになっており、受けた洗浄水等は、底板を通り、底板下方に備えるドレンパン３９に貯まるようになっている。
また、ダクト３１の両側板には脚部３８をそれぞれ固着させ備えており、この脚部３８により、ダクト３１と冷却貯蔵庫本体１２との間にドレンパン３９用のスペースを取るようにしている。
【００１４】
凝縮器２３の背面側に配置されている前記凝縮器ファンモータ２４を運転した際には、吸込部１７から吸込まれた冷却用の外部空気は、このダクト３１を介して凝縮器２３正面の空気吸込部に全て案内供給されるよう構成される。
なお、ダクト３１の正面先端部には図示しないパッキンが全周に亘って配設されており、フロントパネル１５を吸込部１７に対向する所定位置に配設した際に、パッキンがダクト３１に当接することで、両者間の気密性が確保され、吸込部１７からの外部空気が漏れること無くダクト３１内に吸込まれるように構成されている。
また、塵埃補集用の金属製のフィルタ２７は、図２、図３に示すように、フィルタ下部を前方（フロントパネル側）、フィルタ上部を後方にして、傾斜する姿勢でダクト３１内に配設され、凝縮器２３における空気吸込部の表面積に対して、充分に広い表面積（捕集面積）を確保し得るよう構成してある。
また、フィルタ２７には、フロントパネル１５側から脱着しやすいように、フィルタ２７の前方に、ほぼ直角に下方に曲げた取手５２を備えている。
【００１５】
固定部３２、３３は、図３に示すように、ダクト３１の上部と両側部にリベット３７等で固定されており、上部固定部３２には、固定部と一体となった弾性自在のバネ性があるガイド３４を図面左方つまり前向きに備え、側部固定部３３は、ダクト３１内側両側部にほぼ直角に曲げられており、フィルタ２７を固定させ、フィルタ２７を所定の位置に位置決めさせている。
【００１６】
このガイド３４は、弾性自在で曲がり易くなっているので、フィルタ２７をガイド３４に添って挿入し、奥に入りすぎてしまうのを防止する位置決め用の側部固定部３３に接触させるように設置すると、ガイド３４がフィルタ２７を上部と側部から押さえ付けて固定するようになっている。
また、ガイド３４はステンレス製の薄板で、前方先端部は上側に１８０度折り曲げられて折曲部５１を備えており、端面のバリ取りを不要とするとともに、ガイド３４の先端の強度を向上させている。さらに、折曲部５１は上側に１８０度折り曲げられているので、フィルタ２７をガイド３４から外す際に、フィルタ２７が折曲部５１先端部に引っ掛かることはない。
また、フィルタ２７が多少のバラツキがあっても、ダクト３１の組み付け状態によりダクト３１の寸法に違いがあっても、ガイド３４が弾性自在の構造により吸収でき、フィルタ２７を所定の位置に、上部および側部の固定部３２、３３と隙間なく、設置できる。
【００１７】
上記の固定部３２、３３に備えるガイド３４により、フィルタ２７を弾性自在に押える構造になったため、圧縮機２５、凝縮器ファンモータ２４、扉１３の開け閉めによる振動等によるフィルタ２７と固定部３２、３３との接触により生じる衝撃音つまり振動音の発生を防止することができた。また、フィルタ２７の固定部３２、３３やダクト３１からの離脱を防止することができた。
また、ガイド３４のフィルタ２７の押え部分に傾斜をつけることにより、所定位置に設置すると強固に押さえ付けることができるが、フィルタ２７取り外しの際は、スムーズに取り外せる。（図２の矢印Ａ参照）
なお、上記のガイド３４は、上部固定部３２と一体で、曲げて形成されているが、別部材にし、上部固定部３２によりリベット等で固着させてもよい。また、塵埃補集用のフィルタ２７は、樹脂品で製作してもよい。
【００１８】
次に、本発明に係る冷凍機械室の吸気構造につき、別の実施例を挙げて、図４を参照しながら以下説明する。なお、別実施例に係る冷凍機械室の吸気構造を採用した冷却貯蔵庫の基本的な構成および冷凍機械室の吸気構造は、前述した実施例における冷蔵庫と同じなので、詳細な説明は省略してある。
本発明の第２実施形態は、図４に示すように、上部固定部に備えたガイド３４のフィルタ２７との接触面である内側には、複数のボス打出し等により成形された突部３５を、長細状でガイド３４のほぼ幅分設け、フィルタ２７の取り外しの際にわずかな力でもフィルタ２７を固定、脱着できるようにしている。
なお、この突部３５は、長細状でなくても円錐形状のものを複数備えてもよく、ガイド３４との接触面積が減るので、フィルタ２７との脱着がさらに容易となる。
【００１９】
このガイド３４は、ステンレス製の薄板で、弾性自在で曲がり易くなっているので、フィルタ２７をガイド３４に添って挿入し、奥に入りすぎてしまうのを防止する位置決め用の側部固定部３３に接触させるように設置すると、ガイド３４がフィルタ２７を上部から押さえ付けて固定するようになっている。
また、フィルタ２７が大きさに多少のバラツキがあっても、ダクト３１の組み付け状態によりダクトの寸法に違いがあっても、ガイド３４が弾性自在の構造により、吸収でき、フィルタ２７を所定の位置に上部および側部の固定部３２、３３と隙間なく、設置できる。
上記の固定部３２、３３に備えるガイドにより、フィルタ２７を押える構造となったため、圧縮機、凝縮器冷却用のファンモータ、扉の開け閉めによる振動等によるフィルタ２７と固定部３２、３３との接触により生じる衝撃音つまり振動音の発生を防止することができた。
また、フィルタ２７の固定部やダクトからの離脱を防止することができた。
【００２０】
また、ガイド３４のフィルタ２７の押え部分に突部３５を設けることにより、フィルタ２７をダクト３１から脱着する際、フィルタ２７とガイド３４は側面から見て点で接触し固定されるおり、接触面積が少ないので、わずかな力でフィルタ２７の脱着が可能になる。
【００２１】
次に、本発明に係る冷凍機械室の吸気構造につき、別の実施例を挙げて、図５を参照しながら以下説明する。
本発明の第３実施形態は、図５に示すように、固定部３２、３３をダクトの上部と側部にリベット等で固定し、側部固定部３３にマグネット３６を取り付け、フィルタ２７と上部固定部３２を少し浮かせて、離間させた状態でステンレス製のフィルタを磁力で固定している。
【００２２】
上記の固定部構造により、フィルタ２７を磁着する構造となったため、圧縮機、凝縮器冷却用のファンモータ、扉の開け閉めによる振動等によるフィルタ２７と固定部３２、３３との接触により生じる衝撃音つまり振動音の発生を防止することができた。
また、フィルタ２７の固定部やダクトからの離脱を防止することができた。
【００２３】
なお、上記の側部固定部３３に備えたマグネット３６に替えて、フィルタ２７を樹脂製として、側部固定部３３とフィルタ２７の対向する位置にマグネットを付けても、側部固定部３３とフィルタ２７とを脱着自在とし、同様な効果を達成できる。
また、上記の側部固定部３３に備えたマグネット３６に替えて、側部固定部３３とフィルタ２７の対向する位置にマジックテープ（登録商標）を付けても、側部固定部３３とフィルタ２７とを脱着自在とし、同様な効果を達成できる。
【図面の簡単な説明】
【図１】本発明に係る吸気構造を示す冷凍機械室分解斜視図
【図２】本発明の第１実施形態を示す側面断面図
【図３】本発明の第１実施形態を示す要部の一部切欠側面断面図
【図４】本発明の第２実施形態を示す要部の一部切欠側面断面図
【図５】本発明の第３実施形態を示す要部の一部切欠側面断面図
【図６】従来の技術に係る冷蔵庫の一部切欠側面図
【図７】従来の技術に係る冷凍機械室吸気構造の一部切欠側面図
【符号の説明】
１１冷却貯蔵庫
１２本体
１３扉
１４冷凍機械室
１５フロントパネル
１６サイドパネル
１７吸込部
２１冷凍機構
２２ユニット台
２３凝縮器
２４ファンモータ
２５圧縮機
２６冷却器
２７フィルタ
２８電装箱
２９操作箱
３１ダクト
３２上部固定部
３３側部固定部
３４ガイド
３５突部
３６マグネット
３７リベット
３８脚部
３９ドレンパン
４０前方吸込部
４１後方吸込部
５１折曲部
５２取手
【図１】
2004325008.tif 000003
【図２】
2004325008.tif 000004
【図３】
2004325008.tif 000005
【図４】
2004325008.tif 000006
【図５】
2004325008.tif 000007
【図６】
2004325008.tif 000008
【図７】
2004325008.tif 000009